(57)【要約】【課題】装着した容器Ｂ内の収納物とは別に収納物を分離した状態で保管でき、簡単な操作により使用時に両者を混合できるキャップであって、混合が円滑に且つ確実に行えるキャップを提案する。【解決手段】容器の口部４内に、底壁部7bに薄肉破断部８を設け且つ内部を収納室Ｒとした収納筒７を垂下させたキャップ本体２と、収納筒の周壁部7aに摺動可能に嵌合させたカッター筒20を頂板21裏面より垂設した蓋部材３とを備え、カッター筒下端のカッター刃ｓを対向する山型切欠部22を備えた特殊形状とし、また、切断した底壁部を山型に押圧変形する押圧部23を設けて収納室を開口する如く構成した。【選択図】図１
2006151448.tif 000002
【特許請求の範囲】
【請求項１】
容器Ｂの口部４外周に装着筒５を嵌合させて装着するとともに、前記口部内に垂下する周壁部7aの下端部に薄肉破断部８を介して底壁部7bを延設した収納筒７の内部に収納室Ｒを設けたキャップ本体２と、前記周壁部に摺動可能に嵌合させたカッター筒20を頂板21裏面より垂設するとともに、対向する一対の山型切欠部22を前記カッター筒下端部に設けてその下端縁を環状のカッター刃ｓに形成し、且つ、前記カッター筒内面の前記各山型切欠部の中間部に一対の押圧部23を突設した蓋部材３とを備えたキャップであって、前記蓋部材の押し下げにより、対向する一部を残して前記薄肉破断部を切断するとともに、前記各押圧板により切断された前記底壁部を山型に変形して前記収納室を開口する如く構成したことを特徴とするキャップ。
【請求項２】
前記蓋部材３の押し下げを防止する開環帯状の封緘帯24を前記蓋部材３の前記頂板21周縁部に切断可能に連結し、前記装着筒５下端部に易切断性の破断部９を介して垂設した封緘リング10を前記容器Ｂの口部４外周に乗り越え係合させてなる請求項１記載のキャップ。
【請求項３】
前記キャップ本体２に対する前記蓋部材３の嵌入位置を規定する位置決め機構を設けるとともに、前記は薄肉破断部８の前記各切欠部の頂部に対応する所定対向位置に一対の連結部26を設けてなる請求項１又は２のいずれかに記載のキャップ。
【発明の詳細な説明】
【技術分野】
【０００１】
本発明はキャップに関する。
【背景技術】
【０００２】
ボトルの口部に取り付けることにより、ボトル内の液を各種の飲料にすることができるボトルのキャップが提案されている。（例えば、特許文献１参照）
【０００３】
上記キャップは、ペットボトル等のドリンク用の口部に着脱自在で、ボトルの口部の内側へ挿入する底蓋付きの内筒部を有して、水と混ぜ合わせることによりジュース，お茶，コーヒー等の各種飲料になる飲料の素をその内筒部の中に詰め込んだキャップ本体と、該キャップ本体に対し螺動下降可能に組み付けられて、キャップ本体に対して螺動下降させることによりキャップ本体における底蓋を開いて内筒部に詰め込んだ飲料の素を内筒部からボトル内へ落下可能にしたキャップ副体とから構成している。
【特許文献１】特開２００４−８３０２２号公報
【発明の開示】
【発明が解決しようとする課題】
【０００４】
上記キャップは、使用時にキャップ内の収納物をボトル内の収納物と混合することができる優れたものであるが、上記した如くキャップ副体を螺動下降させてその下端の円筒状の爪片により底蓋周囲の薄肉部を切断して底蓋を開く如く構成されているため、通常はキャップ副体内の収納物の重さで底蓋が開く如く作用するが、時に切断された底蓋部分周囲に食い込んだ爪片が切断された底蓋部分と嵌合してしまい底蓋が開かなくなる虞れがあった。
【０００５】
本発明は上記した点に鑑みてなされたもので、確実に底壁部を開くことができてキャップ内収納物を確実に装着したボトル内へ落下させることができ、また、その開封操作も簡単であるキャップを提案する。また、装着した容器の未使用を表現できる利点を兼ね備えたキャップを提案する。
【課題を解決するための手段】
【０００６】
第１の手段として、容器Ｂの口部４外周に装着筒５を嵌合させて装着するとともに、前記口部内に垂下する周壁部7aの下端部に薄肉破断部８を介して底壁部7bを延設した収納筒７の内部に収納室Ｒを設けたキャップ本体２と、前記周壁部に摺動可能に嵌合させたカッター筒20を頂板21裏面より垂設するとともに、対向する一対の山型切欠部22を前記カッター筒下端部に設けてその下端縁を環状のカッター刃ｓに形成し、且つ、前記カッター筒内面の前記各山型切欠部の中間部に一対の押圧部23を突設した蓋部材３とを備えたキャップであって、前記蓋部材の押し下げにより、対向する一部を残して前記薄肉破断部を切断するとともに、前記各押圧板により切断された前記底壁部を山型に変形して前記収納室を開口する如く構成した。
【０００７】
第２の手段として、前記第１の手段に於いて、前記蓋部材３の押し下げを防止する開環帯状の封緘帯24を前記蓋部材３の前記頂板21周縁部に切断可能に連結し、前記装着筒５下端部に易切断性の破断部９を介して垂設した封緘リング10を前記容器Ｂの口部４外周に乗り越え係合させた。
【０００８】
第３の手段として、前記第１の手段又は第２の手段に於いて、前記キャップ本体２に対する前記蓋部材３の嵌入位置を規定する位置決め機構を設けるとともに、前記は薄肉破断部８の前記各切欠部の頂部に対応する所定対向位置に一対の連結部26を設けた。
【発明の効果】
【０００９】
本発明のキャップは、蓋部材３の押し下げによりカッター刃ｓが対向する一部を残して薄肉破断部８を切断するとともに、各押圧部23により切断された底壁部7bを山型に変形して収納室Ｒを開口する如く構成したので、切断された底壁部7bがカッター刃ｓに嵌合して収納室Ｒの開口が充分行われないというような不都合はなく、確実に収納室Ｒ開口し、収納物が容器Ｂ内に落下する。また、底壁部7bが山型に変形するため収納物が粉末，顆粒等の固形物であっても、円滑に容器Ｂ内へ落下する。また、底壁部7bは収納筒７と連結した状態で開封することができるため、廃棄の際には容器Ｂと容易に分離できる。また、従前通り装着した容器Ｂ内の収納物と収納室Ｒ内の収納物とを使用直前まで分離した状態で保管できる。
【００１０】
また、前記封緘帯24及び封緘リング10を設けたものにあっては、装着した容器Ｂの未使用を表現でき、悪戯の防止を図ることができる。
【００１１】
更に、キャップ本体２に対する蓋部材３の嵌入位置を規定する位置決め機構を設け、薄肉破断部８の各山型切欠部22の頂部に対応する所定位置に一対の連結部26を設けた場合には、キャップ本体２に対するカッター刃ｓの山型切欠部22の位置を所定位置に特定できるとともに、押し下げ時に蓋部材３が回転方向にズレることがなく、蓋部材３の真っ直ぐな押し下げが可能となる。また、蓋部材３の押し下げの際に薄肉破断部８の非切断部分が連結部26となるため、薄肉破断部８全体が切断されて落下してしまうという不都合を確実に防止できる利点を兼ね備えている。
【発明を実施するための最良の形態】
【００１２】
以下、本発明の実施例の形態を図面を参照して説明する。
【００１３】
図１から図６は本発明キャップの一例を示し、キャップＡは、キャップ本体２と、蓋部材３とを備えており、両者はそれぞれ合成樹脂により形成されている。
【００１４】
キャップ本体２は、容器Ｂの口部４外周に嵌合させた装着筒５の上端部より内方へフランジ６を延設し、該フランジ６の内周縁より口部４内に有底筒状の収納筒７を垂設している。この収納筒７は、フランジ６内周縁より口部４内に垂下する周壁部7aの下端部に薄肉破断部８を介して底壁部7bを延設しており、内部を収納室Ｒとして構成している。
【００１５】
図示例では、装着筒５の下端縁に易切断性の破断部９を介して封緘リング10を垂設しており、この封緘リング10内周に突周設した係合突条11を容器口部４外周に突設した係止突条12の下面に乗り越え係合させている。従って、この易切断性の破断部９を切断しない限り、キャップ本体２を取り外すことができない様に構成している。
【００１６】
蓋部材３は、前記周壁部7aに摺動可能に嵌合させたカッター筒20を頂板21裏面より垂設するとともに、対向する一対の山型切欠部22をカッター筒20下端部に設けてその下端縁を環状のカッター刃ｓに形成している。図示例では円板状の頂板21の裏面中央より円筒のカッター筒20を垂設し、カッター筒20の前後に一対の山型切欠部22を設けている。カッター刃ｓは先端を鋭利に尖らせているが、カッター筒20の肉厚等を考慮すれば下端面が平坦であってもカッターとしての機能は充分発揮できる。カッター刃ｓは対向する一対の山型切欠部22を備えているため、例えば、前後に山型切欠部22がある場合には蓋部材３を押し下げた際に左右から薄肉破断部８が切断されていく。そして、前後中央部が非切断部分として残る如く、その押し込み幅、山型切欠部22の切込み幅を設定している。
【００１７】
また、カッター筒20内面の各山型切欠部22の中間部分に一対の押圧部23を突設している。この押圧部23は下降するにしたがって切断された底壁部7bの上面を押し下げて底壁部7bを山型に変形させるためのもので、従って、カッター刃ｓが薄肉破断部８を切断した後に押し下げられる位置に下面先端部が位置する如く突設する。この場合薄肉破断部８が所定の切断部分を前部切断した後に押圧する如く構成することもできるし、切断途中で順次押圧する如く構成することもできる。図示例では、カッター筒20内面左右に縦長矩形状の板の形態で突設している。
【００１８】
また、蓋部材３の押し下げを防止する開環帯状の封緘帯24を設けている。この封緘帯24は、蓋部材３の頂板21周縁部に切断可能に連結したもので、頂板21の外周縁に周方向複数の棒状連結片で構成された易切断性の破断部25を介して上端縁を連結し、下面をキャップ本体２上に当接載置させている。これにより蓋部材３の押し下げを防止し、前記封緘リング10とで装着した容器Ｂの未使用を表現できる如く構成している。
【００１９】
上記の如く構成したキャップＡを使用する場合に付いて説明する。まず、内部に収納物を充填した容器Ｂに、収納室Ｒ内に収納物を充填したキャップＡを螺着させる。この際、封緘リング10の係合突条11が容器口部４の係止突条12を強制的に乗り越えてその下面に係合する。容器Ｂ内及びキャップＡの収納室Ｒ内に充填する収納物としては、液状のもの或いは粉末，顆粒等の固形状のもの等を収納できる。
【００２０】
容器を使用する場合には、図１の状態から封緘帯24をその易切断性の破断部25を切断して取り除き、次いで，頂板21を押して蓋部材３を押し下げる。最初カッター刃ｓにより薄肉破断部８の両側が切断され、蓋部材３の押し下げに従って両側より順次中心側に切断されていく。ある程度まで切断が進むと押圧部23により底壁部7b上面による押し下げが始まり、切断された底壁部7bは確実に押し下げられて最後は図５に示す如く正面視山型に変形して収納室Ｒを開口し、収納室Ｒ内の収納物が容器Ｂ内に落下し、両者が混合する。混合後は、キャップ本体２を容器Ｂの口部４から螺脱させれば、図６に示す如く、易切断性の破断部９が切断されて封緘リング10が容器口部４に残る以外は全て取り除くことができ、混合収納物を使用できる。
【００２１】
また、薄肉破断部８には図７に示す如く対向する一対の連結部26を設けても良い。この連結部26を設けることにより、薄肉破断部８全体が切断されて底壁部7bが容器内に落下する等の不都合を確実に防止できる。この場合、各連結部26と対応する位置にカッター筒20の各山型切欠部22の頂部が対応する如く蓋部材３を嵌入すると良い。
【００２２】
また、本発明では、キャップ本体２に対する蓋部材３の嵌入位置を規定する位置決め機構を設けるとともに、キャップ本体２の薄肉破断部８の各山型切欠部22の頂部に対応する所定対向位置に一対の連結部を設けても良い。位置決め機構の例として、例えば、キャップ本体２の収納筒周壁部7aを楕円等の非円形に形成するとともに、蓋部材３のカッター筒20を同様形状に形成することにより、所定嵌入位置に蓋部材３を嵌入させることができる。その際、山型切欠部22の位置も特定されるため、その頂部と対応する薄肉破断部８の対向位置に一対の連結部を形成しておけば、各山型切欠部22の頂部と各連結部26との位置が一致する。また、前記位置決め機構として、収納筒周壁部7aとカッター筒20との対向面に突条と凹溝とからなる位置決め機構を設けても良い。
【図面の簡単な説明】
【００２３】
【図１】本発明キャップの半断面図である。（実施例１）
【図２】本発明キャップの蓋部材の倒立した状態の斜視図である。（実施例１）
【図３】本発明キャップの蓋部材の平面図である。（実施例１）
【図４】本発明キャップの封緘帯を切断する際の要部半断面図である。（実施例１）
【図５】本発明キャップの蓋部材を押し下げた状態の半断面図である。（実施例１）
【図６】本発明キャップの開封後容器より外した状態の半断面図である。（実施例１）
【図７】本発明キャップのキャップ本体の平面図である。（実施例２）
【符号の説明】
【００２４】
２…キャップ本体，３…蓋部材，４…口部，５…装着筒，７…収納筒，7a…周壁部，    7b…底壁部，８…薄肉破断部，10…封緘リング，20…カッター筒，21…頂板，
22…山型切欠部，23…押圧部，24…封緘帯，26…連結部，Ｂ…容器，Ｒ…収納室，
ｓ…カッター刃
【図１】
2006151448.tif 000003
【図２】
2006151448.tif 000004
【図３】
2006151448.tif 000005
【図４】
2006151448.tif 000006
【図５】
2006151448.tif 000007
【図６】
2006151448.tif 000008
【図７】
2006151448.tif 000009